(57)【要約】【課題】    回転刃体に接地体を備えていない既存の刈払機において、回転刃体に接地体を簡単に取付可能にして、接地式及び非接地式の双方で草木類の刈取作業を行えるようにすることである。【解決手段】  操作杆１の先端部に当該操作杆１の長手方向に対して鈍角状に交差して突出した第２駆動回転軸Ｓ2 に回転刃体Ｂ1 が取付けられ、作業者Ｍが前記操作杆１を操作して草木類Ｇの刈り取りを行う刈払機Ａであって、前記回転刃体Ｂ1 の裏面に碗状の接地体Ｔ1 が複数本の固定ボルト２３及びナット２４を介して直接に取付可能な構成とする。【選択図】  図３
0003128800.tif 000002
【実用新案登録請求の範囲】
【請求項１】
操作杆の先端部に当該操作杆の長手方向に対して鈍角状に交差して突出した駆動回転軸に回転刃体が取付けられ、作業者が前記操作杆を操作して草木類の刈り取りを行う刈払機であって、
前記回転刃体の裏面に碗状の接地体が複数本のボルト・ナットを介して直接に取付けられていることを特徴とする刈払機。
【請求項２】
高さの異なる複数の接地体を備え、接地体を交換するのみで、刈高調整が可能であることを特徴とする請求項１に記載の刈払機。
【請求項３】
前記接地体は、調理用のボウルであることを特徴とする請求項１又は２に記載の刈払機。
【考案の詳細な説明】
【技術分野】
【０００１】
本考案は、操作杆の先端部に取付けられた薄円板状の回転刃体を高速回転させて、草木類の刈取作業を行う刈払機に関するものである。
【背景技術】
【０００２】
刈払機には、回転刃体の裏面に接地体を取付けて、当該接地体を接地させて刈り取り作業を行うものと、接地体を備えていなくて、回転刃体を接地させずに刈り取り作業を行うものとがある。従来の接地体を備えた刈払機は、例えば特許文献１に示されるように、接地体を回転刃体と一緒にして駆動回転軸にナットを介して一体に取付ける構成であって、作業者は、回転刃体の部分の重量をそのまま受けることなく、草木類を刈り取れる利点がある。
【０００３】
一方、接地体を備えていない既存の刈払機は、背丈の高い草木類を比較的高い位置（例えば、刈高が３０ｃｍ）で刈り取る場合には、特有の効果を奏するが、刈高が数ｃｍの低い場合には、回転刃体に接地体を備えた刈払機が効果を奏するため、接地体を備えていない既存の刈払機を使用しているユーザーは、自身で接地体を備えた構造に簡単に改造したい場合もある。
【特許文献１】特開２００４−８０４８号公報
【考案の開示】
【考案が解決しようとする課題】
【０００４】
本考案は、上記要望に対応すべく、回転刃体に接地体を備えていない既存の刈払機において、回転刃体に接地体を簡単に取付可能にして、接地式及び非接地式の双方で草木類の刈取作業を行えるようにすることを課題としている。
【課題を解決するための手段】
【０００５】
上記課題を解決するための請求項１の考案は、操作杆の先端部に当該操作杆の長手方向に対して鈍角状に交差して突出した駆動回転軸に回転刃体が取付けられ、作業者が前記操作杆を操作して草木類の刈り取りを行う刈払機であって、前記回転刃体の裏面に碗状の接地体が複数本のボルト・ナットを介して直接に取付可能になっていることを特徴としている。
【０００６】
請求項１の考案によれば、回転刃体に碗状の接地体を取付けない場合には、非接地式として比較的刈高が高い草木類を刈り取るのに適していると共に、回転刃体に碗状の接地体を取付けた場合には、接地式として刈高が低い草木類の刈取りに適している。このように、本考案に係る刈払機によれば、刈取対象の草木類の刈高に応じて、１台の刈払機によって、非接地式と接地式との異なる２種類の刈取方式を自在に選択できる。
【０００７】
また、請求項２の考案は、請求項１の考案において、高さの異なる複数の接地体を備え、接地体を交換するのみで刈高調整が可能であることを特徴としている。請求項２の考案によれば、駆動回転軸に対して回転刃体を固定しているナットを緩めることなく、接地体を交換するのみで刈高調整を行える。
【０００８】
また、請求項３の考案は、請求項１又は２の考案において、前記接地体は、調理用のボウルであって、入手が簡単な調理用のボウルを接地体として利用できるため、接地体を備えていない刈払機と、接地体を備えた刈払機とを相互において簡単に変更することができる。
【考案の効果】
【０００９】
本考案に係る刈払機によれば、既存の刈払機の回転刃体に裏面に碗状の接地体がボルト・ナットを介して取付可能であるため、刈取対象である草木類の刈高に応じて、１台の刈払機により非接地式と接地式とを自在に使い分けて、草木類の刈取作業を行える。
【考案を実施するための最良の形態】
【００１０】
以下、最適な実施形態を挙げて、本考案を更に詳細に説明する。図１は、本考案に係る刈払機Ａの使用状態の斜視図であり、図２（イ），（ロ）は、刈払機Ａの第２駆動回転軸Ｓ2 に取付けられる回転刃体Ｂ1 ，Ｂ2 の平面図であり、図３は、回転刃体Ｂ1 の裏面に複数本の固定ボルト２３及びナット２４によって碗状の接地体Ｔ1 が取付けられた状態の一部を破断した斜視図であり、図４は、同じく断面図であり、図５は、回転刃体Ｂ1 の裏面に接地体Ｔ1 が取付けられた状態の刈払機Ａの部分拡大側面図である。図１ないし図５において、刈払機Ａは、長尺筒状の操作杆１の内部に第１駆動回転軸Ｓ1 が軸支され、当該操作杆１の先端のアタッチメント部８には、ベベルギア（図示せず）を介して第２駆動回転軸Ｓ2 が操作杆１の長手方向と鈍角状に交差して軸支されて、前記第２駆動回転軸Ｓ2 の先端部に回転刃体Ｂ1 が取付け板３及び固定ボルト４を介して一体に連結されている。第１駆動回転軸Ｓ1 は、操作杆１の基端部に一体に取付けられたエンジンＥの出力軸（図示せず）に連結され、前記エンジンＥの動力が第１駆動回転軸Ｓ1 、及び第２駆動回転軸Ｓ2 を介して回転刃体Ｂ1 が駆動回転される構成である。操作杆１の中央部よりも基端側には、Ｕ字状をしたハンドル５と肩掛け紐６とが取付けられている。また、操作杆１の先端部には、刈取り時に石類Ｋが作業者Ｍの側に飛散するのを防止する飛散防止ガード７が取付けられている。
【００１１】
回転刃体Ｂ1 は、図２（イ）に示されるように、外周部に複数個の刃部１１が周方向に等間隔をおいて形成され、使用状態では、回転刃体Ｂ1 は、上面から見て反時計方向に回転する。なお、回転刃体Ｂ1 の中央部には、固定ボルト４の挿通孔１２が形成されている。
【００１２】
本実施例の接地体Ｔ1 は調理用のボウルで構成され、接地体Ｔ1 であるボウルのボウル本体２１の開口周縁の外側に形成されたフランジ部２２を利用して、ボウルを回転刃体Ｂ1 の裏面中央部に密着させた状態で、前記フランジ部２２を周方向に沿った４箇所において固定ボルト２３及びナット２４を介して一体に取付けられる。回転刃体Ｂ1 には、予めドリルにより固定ボルト２３のボルト挿通孔１３〔図２（イ）参照〕を穿孔しておくと共に、ボウルのフランジ部２２にも同様のボルト挿通孔２５を穿孔しておき、前記各ボルト挿通孔１３，２５に固定ボルト２３を回転刃体Ｂ1 の下方から挿通して、回転刃体Ｂ1 の上方において、固定ボルト２３の突出部とナット２４とを螺合させて、ボウルのフランジ部２２と回転刃体Ｂ1 とを固定ボルト２３及びナット２４で挟持固定した状態とする。ここで、回転刃体Ｂ1 は、上面から見て反時計方向に回転するので、前記固定ボルト２３が「右ねじ」の場合には、回転刃体Ｂ1 の反時計方向の回転により、ナット２４は、時計方向に回転しようとする慣性が作用して、固定ボルト２３に対してナット２４は、常に締め付ける方向に回転力が作用するため、回転刃体Ｂ1 の回転によりナット２４が緩むことはない。なお、図３及び図５において、２６，２７は、それぞれカラー、及びバネ座金を示す。
【００１３】
ここで、接地体Ｔ1 の高さＨ1 は、刈払い地に飛散している石類Ｋの大きさ、草木類Ｇの刈高により定められる。例えば、出願人の所在地である岐阜県の揖斐川の堤防の法面の雑草の刈り払いを行うに際して、堤防の法面に散在している石類Ｋの大きさ（縦×横×高さ）を調査したデータが、図７に示されている。なお、図７のデータ群には、１個の石に関して（縦×横×高さ）の３つのデータが示されている。本調査から、堤防に散在している石の（縦×横×高さ）の平均的な寸法は、２０ｍｍ前後であって、３５ｍｍを超えるものは殆どないことが判った。このような調査に基づき、本実施例の接地体Ｔ1 の高さＨ1 は、ほぼ５０ｍｍのものを選択した。また、接地体Ｔ1 であるボウル本体２１の最大外径は、回転刃体Ｂ1 の直径の半分以下（約０．４５）であるため、ボウル本体２１の外周面と回転刃体Ｂ1 の裏面（下面）との空間部Ｖ（図５参照）に、上記寸法の石が余裕を持って入り込むことができる。
【００１４】
そして、回転刃体Ｂ1 の裏面に接地体Ｔ1 を取付けて草木類の刈取作業を行うには、図１及び図５に示されるように、肩掛け紐６を作業者Ｍの肩に掛けた状態で、作業者Ｍは両手でハンドル５を握って、回転刃体Ｂ1 の裏面の接地体Ｔ1 を接地させた状態で、操作杆１の先端に取付けられた回転刃体Ｂ1 を左右に振りながら草木類Ｇの刈り取りを行う。このため、作業者Ｍは、刈払機Ａの重量感を感じることなく、しかもほぼ一定の刈高で、回転刃体Ｂ1 の高速回転により、地面に散在している石類Ｋを飛散させることなく、草木類Ｇの刈取作業を行える。即ち、接地体Ｔ1 を構成するボウルのボウル本体２１の外周面と回転刃体Ｂ1 の裏面（下面）との空間部Ｖに石が余裕を持って入り込むために、回転刃体Ｂ1 の刃部１１と石とが接触することなく、草木類Ｇの刈取作業を行える。また、接地体Ｔ1 であるボウル本体２１の最大外径は、回転刃体Ｂ1 の直径の半分以下（約０．４５）であるため、接地体Ｔ1 を取付けることによる振動の発生は殆ど感じられず、接地体Ｔ1 を取付けない場合と同様の刈取感覚で作業を行うことができた。
【００１５】
図６に示される接地体Ｔ2 は、その高さＨ2 が前記接地体Ｔ1 の高さＨ1 よりも高くなっており、大きな石が散在する部分における草木類Ｇの刈取作業に適している。
【００１６】
図２（ロ）に示される回転刃体Ｂ2 は、外周部に形成される刃部１１’の数が前記回転刃体Ｂ1 の刃部１１の数よりも遥かに多くなっていて、重量軽減用の複数のスリット１４が略円周方向に沿って形成されている。このため、前記スリット１４をボルト挿通孔として利用して、回転刃体Ｂ2 の裏面に固定ボルト２３及びナット２４によって接地体を取付けることができる。
【００１７】
一方、刈取対象の草木類Ｇの刈高が高い場合には、回転刃体Ｂ1 ，Ｂ2 から接地体Ｔ1 ，Ｔ2 を取り外して、非接地式で作業を行えばよいので、回転刃体Ｂ1 ，Ｂ2 に対する接地体Ｔ1 ，Ｔ2 の着脱が簡単であると共に、１台の刈払機により非接地式と接地式とを自在に使い分けて、草木類Ｇの刈取作業を行える。
【００１８】
また、上記実施例の接地体Ｔ1 ，Ｔ2 は、入手容易な調理用のボウルであるが、高さ、最大外径の異なる種々の専用の接地体を製作することも可能である。
【図面の簡単な説明】
【００１９】
【図１】本考案に係る刈払機Ａの使用状態の斜視図である。
【図２】（イ），（ロ）は、それぞれ刈払機Ａの第２駆動回転軸Ｓ2 に取付けられる回転刃体Ｂ1 ，Ｂ2 の平面図である。
【図３】回転刃体Ｂ1 の裏面に複数本の固定ボルト２３及びナット２４によって碗状の接地体Ｔ1 が取付けられた状態の一部を破断した斜視図である。
【図４】同じく断面図である。
【図５】回転刃体Ｂ1 の裏面に接地体Ｔ1 が取付けられた状態の刈払機Ａの部分拡大側面図である。
【図６】回転刃体Ｂ1 の裏面に接地体Ｔ2 が取付けられた状態の刈払機Ａの部分拡大側面図である。
【図７】堤防に散在している石の（縦×横×高さ）の各寸法をプロットして、石の平均的な大きさを示したグラフである。
【符号の説明】
【００２０】
Ａ：刈払機
Ｂ1 ，Ｂ2 ：回転刃体
Ｅ：エンジン
Ｇ：草木類
Ｋ：石類
Ｍ：作業者
Ｓ1 ：第１駆動回転軸  
Ｓ2 ：第２駆動回転軸
Ｔ1 ，Ｔ2 ：接地体
Ｖ：空間部
１：操作杆
２１：ボウル本体
２２：フランジ部
２３：固定ボルト
２４：ナット
【図１】
0003128800.tif 000003
【図２】
0003128800.tif 000004
【図３】
0003128800.tif 000005
【図４】
0003128800.tif 000006
【図５】
0003128800.tif 000007
【図６】
0003128800.tif 000008
【図７】
0003128800.tif 000009